(57)【特許請求の範囲】
【請求項１】
少なくとも二つの発光手段であって、それぞれが独立してオン／オフ制御される前記発光手段の、それぞれの発光を組み合わせて複数種類の第１の照明光を得る第１の照明手段と、
前記発光手段と異なる他の発光手段により第２の照明光を得る第２の照明手段と、
前記第１の照明手段における少なくとも二つの発光手段のオン／オフ制御を行うと共に、前記少なくとも二つの発光手段の少なくとも１つがオンされて発光している場合に、前記第２の照明手段における前記発光手段をオンさせて発光させる照明制御手段とを備えてなる照明装置。
【請求項２】
請求の範囲第１項に記載の照明装置において、
前記照明制御手段は、前記第１の照明手段における前記少なくとも二つの発光手段のそれぞれにオン／オフの制御信号を出力する制御ポートと、前記制御ポートの全ての出力の論理和をとって前記第２の照明手段における前記他の発光手段のオン／オフ制御信号を出力する論理和回路とを備えて構成されることを特徴とする照明装置。
【請求項３】
請求の範囲第１項に記載の照明装置において、
さらに、前記第１の照明手段における前記少なくとも二つの発光手段の発光の組合せを切換選択しつつ照明を行うための複数のモードを設定するモード設定手段を備え、
前記照明制御手段は、前記モード設定手段により設定されたモードに基づいて前記少なくとも二つの発光手段のオン／オフ制御を行うことを特徴とする照明装置。
【請求項４】
請求の範囲第３項に記載の照明装置において、
前記モード設定手段により前記第１の照明手段の照明色が連続的に変化するモードに設定された場合、
前記照明制御手段において、前記第１の照明手段における前記少なくとも二つの発光手段のうち、次の照明色へ変化させるためにオフすべき発光手段をオフするタイミングは、オンすべき発光手段をオンした後であることを特徴とする照明装置。
【請求項５】
請求の範囲第３項に記載の照明装置において、
前記少なくとも二つの発光手段はＲＧＢ色それぞれを発光する三つの発光手段のうちのいずれかであり、
前記モード設定手段は前記第１の照明手段の点滅モードとして、前記三つの発光手段の全てをオンして得られる白色光と、前記三つの発光手段のうち、いずれか一つ又は二つの発光手段をオンして得られる白色光以外の光を発光させるモードを設定することを特徴とする照明装置。
【請求項６】
請求の範囲第１項に記載の照明装置において、
前記第１の照明光は、ボタンキーを照明するボタンキー照明光であり、前記第２の照明光は、ＬＣＤを照明するＬＣＤのバックライトであることを特徴とする照明装置。
【請求項７】
ボタンキー及びＬＣＤを有するコンピュータ搭載装置であって、
少なくとも二つの発光素子であって、それぞれが独立してオン／オフ制御される前記発光素子のそれぞれの発光を組み合わせて前記ボタンキーを照明する複数種類の第１の照明光を得る第１の照明手段と、
前記発光素子と異なる他の発光素子により前記ＬＣＤの照明光を得る第２の照明手段と、
前記少なくとも二つの発光素子のオン／オフ制御を行うと共に、前記少なくとも二つの発光素子の少なくとも１つがオンされて発光している場合に、前記第２の照明手段における前記発光素子をオンさせて発光させる照明制御手段とを備えてなるコンピュータ搭載装置。
【請求項８】
請求の範囲第７項に記載のコンピュータ搭載装置において、
前記照明制御手段は、前記第１の照明手段における前記少なくとも二つの発光手段のそれぞれにオン／オフの制御信号を出力する制御ポートと、前記制御ポートの全ての出力の論理和をとって前記第２の照明手段における前記他の発光手段のオン／オフ制御信号を出力する論理和回路とを備えて構成されることを特徴とするコンピュータ搭載装置。
【請求項９】
請求の範囲第７項に記載のコンピュータ搭載装置において、
さらに、前記第１の照明手段における前記少なくとも二つの発光素子の発光の組合せを切換選択しつつ照明を行うための複数のモードを設定するモード設定手段を備え、
前記照明制御手段は、前記モード設定手段により設定されたモードに基づいて前記少なくとも二つの発光素子のオン／オフ制御を行うことを特徴とするコンピュータ搭載装置。
【請求項１０】
請求の範囲第９項に記載のコンピュータ搭載装置において、
前記モード設定手段により前記第１の照明手段の照明色が連続的に変化するモードに設定された場合、
前記照明制御手段は、前記第１の照明手段における前記少なくとも二つの発光手段のうち、次の照明色へ変化させるためにオフすべき発光手段をオフするタイミングとして、オンすべき発光手段をオンした後であることを特徴とする照明装置。
【請求項１１】
請求の範囲第９項に記載のコンピュータ搭載装置において、
前記少なくとも二つの発光素子はＲＧＢ色それぞれを発光する三つの発光素子のうちのいずれかであり、
前記モード設定手段は前記第１の照明手段の点滅モードとして、前記三つの発光素子の全てをオンして得られる白色光と、前記三つの発光素子のうち、いずれか一つ又は二つの発光素子をオンして得られる白色光以外の光を発光させるモードを設定することを特徴とするコンピュータ搭載装置。
【請求項１２】
請求の範囲第７項に記載のコンピュータ搭載装置において、
前記コンピュータ搭載装置は携帯電話であり、前記ボタンキーは携帯電話の背面に設けられるボタンキーであり、前記ＬＣＤは前記ボタンキーの照明と関連付けられて照明される携帯電話のサブＬＣＤであることを特徴とするコンピュータ搭載装置。
【発明の詳細な説明】
技術分野
本発明は、複数の照明手段の点灯（照明）を制御する照明装置及びコンピュータ搭載装置であって、例えば、折り畳み式携帯電話機等の背面に備えられたサブＬＣＤ表示切替用ボタン（背面キー）とサブＬＣＤの点灯（照明）を同時制御する場合等に適用される照明装置及びコンピュータ搭載装置に関するものである。
背景技術
現在、携帯電話機には折り畳み式のものが増えているが、近年、そのような携帯電話機には、メインの液晶表示画面（メインＬＣＤ）の他に、折り畳んでいる場合でも電話機の状態等が確認できるよう、背面にサブＬＣＤを備えたものが登場してきている。
さらにまた、サブＬＣＤと共にサブＬＣＤの表示切替用ボタン（背面キー）を携帯電話機の背面に備えた機種もある。
また背面キーには発光ダイオード（ＬＥＤ）が備えられ、背面キー自体を様々な色で点滅させたり、連続的に照明色を変化させる等の使われ方がなされることがある。また、通常、背面キーの点灯・点滅中には、サブＬＣＤは点灯状態を維持する使われ方がなされる。このような携帯電話機において、背面キーの点滅中にサブＬＣＤを点灯状態で維持する場合、背面キーとサブＬＣＤの照明とを全く別に制御しなければならない。
第１１図は、従来の技術に基づく携帯電話機２００のハードウェア構成の概略を示したブロック図である。図において、電波を受信するアンテナ１を備えた無線送受信部２と、ベースバンド処理部３と、ユーザがキー操作により電話番号や情報を入力するための入力操作部５と、登録部６ａ及び履歴部ｂを有するメモリ６と、表示部７が、制御部４０に接続されており、さらに、インターフェース（ＩＦ）９を介してスピーカ１０及びマイク１１が制御部４０に接続されている。また、表示部７は、メインＬＣＤ２１に対しての表示を行うメインＬＣＤ表示部７ａ及びサブＬＣＤに対しての表示を行うサブＬＣＤ表示部７ｂに接続されており、各ＬＣＤ表示部７ａ、７ｂは表示部７により表示制御される。
サブＬＣＤと背面キーに対する照明制御機能に関しては、図に示されるようにサブＬＣＤに対する照明を行うサブＬＣＤ照明部１２と背面キーに対する照明を行う背面キー照明部１３が別々に制御部４０に接続されており、サブＬＣＤと背面キーの照明制御は別々に行われるようになっている。
第１２図は、第１１図における制御部４０とサブＬＣＤ照明部１２と背面キー照明部１３による、サブＬＣＤと背面キーの照明制御を示した回路図である。本回路図では、背面キーに用いられるＬＥＤをＲ（赤）Ｇ（緑）Ｂ（青）の３色としており、この３色の組み合わせにより７色の発光を可能としている。第１２図において、サブＬＣＤ照明部１２は、サブＬＣＤ用ＬＥＤ８３０と、電流制限素子８４０と、スイッチング素子８５０から構成されている。スイッチング素子８５０は制御部４０のサブＬＣＤ用ＬＥＤ制御出力ポート４０１に接続され、サブＬＣＤ用ＬＥＤ制御出力ポート４０１からの制御パルスの出力によりオンし、サブＬＣＤ用ＬＥＤ８３０が発光する。
さらにまた、背面キー照明部１３は、Ｒ用のＬＥＤである背面キー用ＬＥＤ（Ｒ）８００ｒと、電流制限素子８１０ｒと、スイッチング素子８２０ｒと、同じくＧ用の、背面キー用ＬＥＤ（Ｇ）８００ｇと、電流制限素子８１０ｇと、スイッチング素子８２０ｇと、同じくＢ用の、背面キー用ＬＥＤ（Ｂ）８００ｂと、電流制限素子８１０ｂと、スイッチング素子８２０ｂとから構成されている。それぞれのスイッチング素子は、制御部４０のＬＥＤ（Ｒ）用出力ポート４０ｒ、ＬＥＤ（Ｇ）用出力ポート４０ｇ、ＬＥＤ（Ｂ）用出力ポート４０ｂに接続され、これらポートからの制御パルスの出力によりオンし、各ポートに対応するＬＥＤに電源側より電流が流れて発光する。
このように、従来の構成及び手法では、背面キーとサブＬＣＤが備えられた携帯電話機２００では、背面キーとサブＬＣＤ用の両方の制御ポートが必ず必要となり、また、制御ポートがある分だけ制御部品数も必要となる。従って、従来の構成及び手法では、制御ポートを削減して、部品点数を削減し、もって小型簡易化。並びに低コスト化を実現することが困難である。
本発明は、そのような問題点を解決するためになされたものであって、背面キーにおいて、発色の異なる光を交互に点灯させることにより、点滅状態と見做せる状態を実現することで、サブＬＣＤ用の制御ポートと背面キー用の制御ポートを共通にすることができ、従って、従来に比して少ないポート数でサブＬＣＤ及び背面キーの点灯や点滅の制御を行うことができ、もって小型簡易化並びに低コスト化を図ることができる照明装置及びコンピュータ搭載装置を提供することを目的とする。
発明の開示
本発明は、少なくとも二つの発光手段であって、それぞれが独立してオン／オフ制御される前記発光手段の、それぞれの発光を組み合わせて複数種類の第１の照明光を得る第１の照明手段と、前記発光手段と異なる他の発光手段により第２の照明光を得る第２の照明手段と、前記第１の照明手段における少なくとも二つの発光手段のオン／オフ制御を行うと共に、前記少なくとも二つの発光手段の少なくとも１つがオンされて発光している場合に、前記第２の照明手段における前記発光手段をオンさせて発光させる照明制御手段とを備えてなる照明装置を提供するものである。
このような構成によれば、第１の照明手段の点灯色を変更しても第２の照明手段は点灯状態を維持することができるので、例えば第１の照明制御の点灯色を交互に切り替えて疑似点滅状態を構築することにより、第２の照明手段の点灯状態を維持することができる。これにより、制御効率が高まり、制御に要するハードウェア構成を簡素化することができ、照明装置のコストダウンを図ることができる。
なお、本発明の実施の形態においては、第１の照明手段は折り畳み式携帯電話機の背面キーを照明するよう機能し、その発光手段はＲＧＢ３色の背面キー用ＬＥＤから構成される。また、第２の照明手段はサブＬＣＤを照明するよう機能し、その発光手段はサブＬＣＤ用ＬＥＤから構成される。また照明制御手段は、制御部とＲＧＢ３色の制御ポート（ＬＥＤ用出力ポート）と３色各々のスイッチング素子とサブＬＣＤ用のスイッチング素子及びＯＲ回路から構成される。このＯＲ回路はＲＧＢ３色の制御ポートの論理和をとって前記第２の照明手段（実施の形態ではサブＬＣＤを照明する）における発光手段（実施の形態ではサブＬＣＤ用ＬＥＤ）に対して制御信号を出力する。
従って、例えば携帯電話機のサブＬＣＤと背面キーの照明制御を行う場合、背面キー用に複数備えられた制御ポートのみでサブＬＣＤの照明制御を行うことができるため、従来の手法に比べ制御ポートが少なくて済み、また背面キー及びサブＬＣＤを同時制御できるため制御効率が高まる。
また、本発明に係る照明装置において、さらに、前記第１の照明手段における照明モード（例えば、点滅や点灯、発光色等を設定したモード）を設定するモード設定手段を備え、設定されたモードに従って前記照明制御手段が、前記少なくとも二つの発光手段（実施例ではＲＧＢ３色の背面キー用ＬＥＤ）それぞれのオン／オフ制御を行うようにすることができる。このような構成によれば、第１の照明手段により様々な照明方法で照明することができるため、照明方法を限定することなく第１の照明手段と第２の照明手段の照明を制御することができる。
さらに、本発明に係る照明装置においては、前記モード設定手段により前記第１の照明手段の照明色が連続的に変化するモードに設定された場合、前記第１の照明手段における前記少なくとも二つの発光手段のうち、次の照明色へ変化させるために前記照明制御手段がオフすべき発光手段をオフするタイミングは、オンすべき発光手段をオンした後とする。このため、第１の照明手段が照明中は常に第２の照明手段も照明を行うこととなり、第１の照明手段における照明色の切替時においても第２の照明手段の照明が中断することなく照明を維持することができる。本実施の形態では、背面キーの照明色が連続的に変化しても、背面キー用のＬＥＤのいずれかが常にオン状態となるため、サブＬＣＤの照明が不連続にとぎれることなく維持される。
さらにまた、第１の照明手段を点滅モードとした場合、本発明の実施の形態では背面キーの発光手段としてＲＧＢ３色のＬＥＤを用いて、これら全てをにオンして得られる白色光と、これらＬＥＤのうち、いずれか一つ又は二つをオンして得られる白色光以外の光を発光させるよう設定するようにする。
このような構成によれば、第１の照明手段を白色光と白色光以外の色で交互に発光させることによって常時点灯している状態で擬似的な点滅状態にすることができるため、第２の照明手段による照明を中断することなく第１の照明手段の点滅状態を実現できる。具体的には、携帯電話機の背面キーを点滅させている間、サブＬＣＤを点灯状態に維持する場合、従来の手法では、例えば赤で点滅させる設定をした場合、「赤→消灯→赤→消灯→赤→消灯」となるよう制御を行うこととなる。しかしながら、本発明の手法を用いれば、この消灯の部分を白色に設定しておくことにより、実質的には背面キーを常時点灯させたまま視覚的には赤が点滅するような状態を保つことが可能となる。
さらにまた、本発明は、ボタンキー及びＬＣＤを有するコンピュータ搭載装置であって、該コンピュータ搭載装置が上述された照明装置と同じ機能を有し、これを様々なコンピュータに搭載すれば、２つの照明手段に対する照明制御において、ハードウェア構成を簡単なものにしつつ、従来の照明の性能を損なうことなく効率よく照明制御を行うことができる。
発明を実施するための最良の形態
以下、本発明の実施の形態を図を用いて詳細に説明する。
本実施の形態は、背面にサブＬＣＤ及びサブＬＣＤの表示切替等を行う背面キーを備えた折り畳み式携帯電話機において、サブＬＣＤの点灯（照明）制御のポートと背面キーの点灯（照明）制御ポートを共通にし、同時制御を行うようにしたものであり、背面キーの制御ポート数のみでサブＬＣＤの制御を可能とする装置である。本実施の形態では、背面キーが点灯している（照明されている）場合は、その点灯色に関わらずサブＬＣＤも常に点灯し、背面キーが消灯した場合には、サブＬＣＤも消灯するような構成となっている。なお、背面キーの照明は、ＬＥＤの発光により行われ、サブＬＣＤの照明はサブＬＣＤのバックライトが点灯することにより行われる。
第１図は、そのような折り畳み式携帯電話機２０の外観の一例を示した図である。第１図（ａ）は、折り畳み式携帯電話機２０を開いた場合の外観図であり、メインの表示画面であるメインＬＣＤ２１が備えられている。第１図（ｂ）は、折り畳み式携帯電話機２０を折り畳んだ場合の背面の外観図であり、背面キー２２及びその近傍にサブＬＣＤ２３が備えられている。
サブＬＣＤ２３には、例えば日付や時刻、メール着信情報、音声着信情報等が切替表示され、これにより折り畳んだ状態でもユーザは様々な情報を得ることができる。また背面キー２２は、上述したように点灯・点滅する他に、押下することによってサブＬＣＤ２３の表示を切り替えたり、メモ録音を開始したりすることができる。
第２図は、本発明の実施の形態における折り畳み式携帯電話機２０（以下、携帯電話機２０）のハードウェア構成の一例を簡略的に説明したブロック図である。図において、アンテナ１を備えた無線送受信部２と、ベースバンド処理部３と、ユーザがキー操作により電話番号や情報を入力するための入力操作部５と、登録部６ａ及び履歴部６ｂを有するメモリ６と、表示部７とが制御部４に接続されており、さらに、インターフェース（ＩＦ）９を介してスピーカ１０及びマイク１１が制御部４に接続されている。また、表示部７は、第１図におけるメインＬＣＤ２１に対しての表示を行うメインＬＣＤ表示部７ａ及び第１図におけるサブＬＣＤ２３に対しての表示を行うサブＬＣＤ表示部７ｂに接続されており、各ＬＣＤ表示部７ａ、７ｂは表示部７により表示制御される。
さらに従来技術と異なる特徴的な構成として、サブＬＣＤ２３に対する照明を行う機能と背面キー２２に対する照明を行う機能を別々とせず、双方を同時制御するためのサブＬＣＤ／背面キー照明部８が備えられており、サブＬＣＤ／背面キー照明部８は制御部４と接続されている。
第３図は、第２図における制御部４とサブＬＣＤ／背面キー照明部８による、サブＬＣＤ２３と背面キー２２の照明制御を示した回路図である。従来の技術に基づく回路図（第１２図）と同様に、背面キー２２に用いられるＬＥＤはＲＧＢの３色であり、この３色の組み合わせにより７色の発光を可能としている。第３図のサブＬＣＤ／背面キー照明部８には、背面キー２２を照明するための構成として、Ｒ用のＬＥＤである背面キー用ＬＥＤ（Ｒ）８０ｒと、電流制限素子８１ｒと、スイッチング素子８２ｒと、Ｇ用のＬＥＤである背面キー用ＬＥＤ（Ｇ）８０ｇと、電流制限素子８１ｇと、スイッチング素子８２ｇと、Ｂ用のＬＥＤである背面キー用ＬＥＤ（Ｂ）８０ｂと、電流制限素子８１ｂと、スイッチング素子８２ｂが備えられている。それぞれのスイッチング素子は、制御部４のＬＥＤ（Ｒ）用出力ポート４ｒ、ＬＥＤ（Ｇ）用出力ポート４ｇ、ＬＥＤ（Ｂ）用出力ポート４ｂに接続され、これらポートからの制御パルスの出力によりオンし、各ポートに対応するＬＥＤに電源側より電流が流れて発光する。
また、サブＬＣＤ２３を照明するための構成としては、サブＬＣＤ用ＬＥＤ８３と、電流制限素子８４と、スイッチング素子８５が備えられており、更に制御部４の各ＬＥＤ用出力ポートから出力された制御信号の論理和を取るためのＯＲ回路８６、８７が備えられている。スイッチング素子８５は、ＯＲ回路８６、８７による論理和の結果によってオン／オフ制御される。本回路図から明らかなように、背面キー用ＬＥＤ８１ｒ、８１ｇ、８１ｂのいずれかのスイッチング素子８２が制御部４からの制御信号によりオンされれば、サブＬＣＤ用ＬＥＤ８３のスイッチング素子８５がオンされることとなる。つまり背面キー２２が点灯中は必ずサブＬＣＤ２３も点灯する。
ここで、ＲＧＢ３色のＬＥＤ用出力ポート４ｂ、４ｇ、４ｒの組み合わせと発色の対応表を第４図に示す。表に示されるように、例えば、ＲＧＢ全てのＬＥＤ用出力ポートがＯＦＦになると背面キー２２は消灯し、ＲＧＢ全てのＬＥＤ用出力ポートがＯＮになると背面キー２２は白色に点灯する。また、ポートの組み合わせにより、白色の他に、青色、緑色、赤色、水色、紫色、黄色の発色が可能である。
第５図は、第４図の対応表に基づいて、背面キー２２の照明色が連続的に「赤色→青色→黄色→水色」に変化する場合の、制御部４における各ＬＥＤ用出力ポート４ｂ、４ｇ、４ｒに対する制御の詳細をタイムチャートで示した図である。
（１）まず消灯状態では、全てのＬＥＤ出力用ポートはＯＦＦになっている（赤：０、緑：０、青：０）。
（２）背面キー２２を赤色に点灯させる場合には、制御部４がＬＥＤ（Ｒ）用出力ポート４ｒをＯＮにする（赤：１、緑：０、青：０）。
（３）次に青色に変化させる場合には、ＯＦＦすべきポートをＯＦＦする前にＯＮすべきポートをＯＮにする。ここでは、ＬＥＤ（Ｂ）用出力ポート４ｂをＯＮにする（赤：１、緑：０、青：１）。
（４）その後ＬＥＤ（Ｒ）用出力ポート４ｒをＯＦＦする（赤：０、緑：０、青：１）。これにより背面キー２２は青色に発光する。
（５）次に青色から黄色に変化させる場合には、まずＬＥＤ（Ｒ）用出力ポート４ｒ及びＬＥＤ（Ｇ）用出力ポート４ｇをＯＮにする（赤：１、緑：１、青：１）。
（６）その後、ＬＥＤ（Ｂ）用出力ポート４ｂをＯＦＦする（赤：１、緑：１、青：０）。これにより背面キー２２は黄色に発光する。
（７）次に黄色から水色に変化させる場合には、まずＬＥＤ（Ｂ）用出力ポートをＯＮにする（赤：１、緑：１、青：１）。
（８）その後、ＬＥＤ（Ｒ）用出力ポート４ｒをＯＦＦする（赤：０、緑：１、青：１）。これにより背面キー２２は水色に発光する。
なお、（３）−（４）間、（５）−（６）間、（７）−（８）間は、前の色と次の色を重ねている時間（変化点）であり、制御部４は携帯電話機２０のユーザが変化点を意識することがないよう高速に制御する。
また、背面キー２２が点灯中は、上述のように照明色が変化しても３色のＬＥＤ用出力ポート４ｂ、４ｇ、４ｒのいずれかがＯＮであるため、サブＬＣＤ用ＬＥＤ８３は常にＯＮとなり、サブＬＣＤ２３は点灯を維持することができる。
次に、背面キー２２の様々な照明パターンの例を第５図と同様のタイムチャートを用いて説明する。
第６図は、例えば携帯電話機２０の音声着信時あるいは目覚ましタイマー起動時等に背面キー２２が設定色にて点滅する場合の、制御部４における各ＬＥＤ用出力ポート４ｂ、４ｇ、４ｒに対する制御の詳細をタイムチャートで示した図である。本実施の形態では、背面キー２２の照明色をユーザが任意に設定でき、その設定に従って制御部４が各ＬＥＤ用出力ポートを制御する。
（１）まず消灯状態では、全てのＬＥＤ出力用ポートはＯＦＦになっている（赤：０、緑：０、青：０）。
（２）着信が発生すると、背面キー２２の点滅における設定色が赤色の場合には、制御部４がＬＥＤ（Ｒ）用出力ポート４ｒをＯＮにする（赤：１、緑：０、青：０）。この状態を１０００ｍｓ維持する。
（３）１０００ｍｓが経過した後、次に背面キー２２を白色に発色させるため、全てのＬＥＤ用出力ポートをＯＮにする。ここではＬＥＤ（Ｇ）用出力ポート４ｇ及びＬＥＤ（Ｂ）用出力ポート４ｂをＯＮにする（赤：１、緑：１、青：１）。これにより背面キー２２は白色に発光する。この状態を５００ｍｓ維持する。（４）以降、（２）及び（３）を繰り返す。これにより、背面キー２２の照明色は「赤色→白色→赤色→白色→．．．．」のように連続的に変化するため、背面キー２２が擬似的に点滅しているように見える。上述の第５図と同様、疑似点滅中も、実質的には背面キー２２は消灯しないため、サブＬＣＤ２３は点灯状態を保持する。
第７図は、例えば携帯電話機２０の通話中等に、背面キー２２の照明色が７色で２ｓ毎に連続的に変化する場合の制御方法を示したタイムチャートである。
（１）まず消灯状態では、全てのＬＥＤ出力用ポートはＯＦＦになっている（赤：０、緑：０、青：０）。
（２）通話が開始されると、背面キー２２を白色に発色させるため、制御部４は全てのＬＥＤ用出力ポートをＯＮにする（赤：１、緑：１、青：１）。この状態を２ｓ維持する。
（３）次に白色から水色に変化させるため、ＯＦＦすべきポートをＯＦＦする前にＯＮすべきポートをＯＮにする。しかしながら、ここでは全てのポートがＯＮされているため、変化はない。
（４）その後ＬＥＤ（Ｒ）用出力ポート４ｒをＯＦＦする（赤：０、緑：１、青：１）。これにより背面キー２２は水色に発光する。
（５）２ｓ経過後、次に水色から青色に変化させるため、ＯＦＦすべきポートをＯＦＦする前にＯＮすべきポートをＯＮにする。しかしながら、ここではＯＮすべきポートは既にＯＮになっているため、変化はない。
（６）その後、ＬＥＤ（Ｇ）用出力ポート４ｇをＯＦＦする（赤：０、緑：０、青：１）。これにより背面キー２２は青色に発光する。
（７）２ｓ経過後、次に青色から緑色に変化させるため、まずＬＥＤ（Ｇ）用出力ポート４ｇをＯＮにする（赤：０、緑：１、青：１）。
（８）その後、ＬＥＤ（Ｂ）用出力ポート４ｂをＯＦＦする（赤：０、緑：１、青：０）。これにより背面キー２２は緑色に発光する。
（９）２ｓ経過後、次に緑色から黄色に変化させるため、ＬＥＤ（Ｒ）用出力ポート４ｒをＯＮにする（赤：１、緑：１、青：０）。これにより背面キー２２は黄色に発光する。
（１０）その後、ＯＦＦすべきポートをＯＦＦするが、ここでは、ＯＦＦすべきポートは既にＯＦＦとなっているため、変化はない。
（１１）２ｓ経過後、すべきポートをＯＮにする。しかしながら、ここでは、ＯＮすべきポートは既にＯＮになっているため、変化はない。
（１２）その後ＬＥＤ（Ｇ）用出力ポート４ｇをＯＦＦする（赤：１、緑：０、青：０）。これにより背面キー２２は赤色に発光する。
（１３）次に黄色から赤色に変化させるため、ＬＥＤ（Ｂ）用出力ポート４ｂをＯＮにする（赤：１、緑：０、青：１）。これにより背面キー２２は紫色に発光する。
（１４）その後、ＯＦＦすべきポートをＯＦＦするが、ここではＯＦＦすべきポートは既にＯＦＦとなっているため、変化はない。
（１５）以降、（２）から（１４）を繰り返す。これにより、背面キー２２の照明色は連続的に７色に変化する。上述の第５図と同様、照明色の変化点であっても背面キー２２は消灯しないため、サブＬＣＤ２３は点灯状態を保持する。
第６図の疑似点滅制御を応用し、例えばメールを受信した場合等に、設定色と白色とを所定のパターンで繰り返し発色させるようにすることも可能である。第８図は、そのようなパターンの繰り返しの一例を示したタイムチャートである。図示されるように、パターン１は設定色４００ｍｓ、白色２００ｍｓ、設定色４００ｍｓから構成され、この構成が繰り返される。本処理は、第６図に示された疑似点滅の制御手法を用いることで実現可能である。
このような点滅や色の変化のパターンは、予め携帯電話機２０に設定されたものであってもよいし、ユーザが携帯電話機２０で任意に設定できるようにしてもよい。本発明の実施の形態では、音声着信時や目覚ましタイマー起動時やメール受信時等において点滅制御する際、その点滅色をユーザが任意に設定できる機能を有する。第９図は、背面キー２２の照明色をユーザが任意に設定するための設定画面の表示例である。７色の発光色からユーザは選択的に発光色を設定でき、設定された色に基づいて制御部４は各ＬＥＤ出力用ポートのＯＮ／ＯＦＦを制御する。
図示されるように、まずシステム設定メニュー１００を表示させ、「７．背面ライトの設定」を選択する。次に背面ライトの設定画面１０１が表示される。この画面では設定する項目において現在設定されている色が表示される。ユーザは設定する項目を選択し、色を設定する。音声着信時の設定色を設定したい場合には、「音声着信」を選択する。次に配色選択画面１０２が表示される。本画面にて、希望する色を選択して設定する。なお、配色選択画面１０２の表示直後は、現在設定されている色が反転されて表示される。図においては「青色」が現在選択されている色として反転している。ユーザは携帯電話機２０のキー操作で、新たに設定させたい色を反転させて確定する。これにより音声着信時の設定色が設定される。
別の項目の設定色を設定したい場合には、背面ライト設定画面１０１に戻る。例えばメール受信時の色を設定したい場合には、ユーザは「メール受信」を選択し（１０３）、メール受信時の色を設定するための配色選択画面１０４を表示させる。上述と同様に図においては、現在設定されている「緑色」が反転している。ユーザは携帯電話機２０のキー操作で、新たに設定させたい色を反転させて確定する。これによりメール受信時の設定色が設定される。
同様に目覚ましの項目について色を設定したい場合には、背面ライト設定画面にて「目覚まし」の項目を選択し（１０５）、同様に配色選択画面１０６にて設定する。
なお、本発明の実施の形態における携帯電話機２０において、背面キー２２の押下により実行される様々な機能の一例を表にしたものを第１０図に示す。図のように、携帯電話機２０の開閉状態及び動作状態により、実行される機能は異なる。例えば、携帯電話機２０を閉めた状態で且つ待受け中に、背面キー２２を短押しすると、サブＬＣＤ２３の表示切替が行われ、長押しすると、メール着信の問い合わせが行われる。
また、本実施の形態では、背面キーをＲＧＢ３色のＬＥＤにより照明するようにしたが、もちろん２色のＬＥＤにより照明するようにしてもよいし、その数は限定されない。また、上記に示された点滅の時間や照明色の変化の順番、あるいはそのタイミング等は、本発明を実施する上での一例であり、ユーザがその照明のモードを任意に設定してもよいし、携帯電話機本体に予め設定されていてもよく、本発明の趣旨を逸しない範囲において、適宜応用可能である。
さらにまた、上述した実施の形態では、携帯電話機における照明制御について説明したが、本発明は携帯電話機のみに限定されず、例えばＰＤＡや他のコンピュータ装置に適用可能であることは言うまでもない。
産業上の利用の可能性
以上説明したように、本発明は、例えば携帯電話機の背面に設けられたサブＬＣＤと背面キーの照明を同じ制御ポートを用いて同時制御するようにしたため、制御効率が高まり、制御に要するハードウェア構成を簡素化することができ、照明装置のコストダウンを図ることができる。従って、携帯電話機の製造に際し、制御ポートの数に制限がある場合でも、背面キーの照明制御用のポート数があればよいため、非常に有用である。
また、背面キーのＬＥＤそれぞれの制御ポートにおいて、ＯＮすべき制御ポートをＯＮさせてからＯＦＦすべき制御ポートをＯＦＦするようにしたため、背面キーの照明色が連続的に変化しても、背面キー用のＬＥＤのいずれかが常にオン状態となり、サブＬＣＤの照明は中断することなく照明が維持される。さらにまた、背面キーを点滅させる場合、白色光と白色光以外の色で交互に発光させることによって常時点灯している状態にもかかわらず擬似的な点滅状態にすることができるため、点滅状態となってもサブＬＣＤの照明が中断することなく照明を維持することができる。このように背面キーとサブＬＣＤの照明は別制御としていた従来に比して、少ない制御ポート数で、且つ少ない制御部品数で従来と同様に照明制御が可能な携帯電話機或いはＰＤＡまたはコンピュータ装置等を構成することができる。
【図面の簡単な説明】
第１図（ａ）は、本発明の実施の形態における折り畳み式携帯電話機を開いた場合の外観図であり、第１図（ｂ）は、本発明の実施の形態における折り畳み式携帯電話機を折り畳んだ場合の背面の外観図である。
第２図は、携帯電話機のハードウェア構成の一例を簡略的に説明したブロック図である。
第３図は、サブＬＣＤと背面キーの照明制御を示した回路図である。
第４図は、ＲＧＢ３色のＬＥＤの発光の組み合わせと発色の対応表である。
第５図は、背面キーの照明色を連続的に変化させる場合の制御方法を示したタイムチャートである。
第６図は、背面キーが点滅する場合の制御方法を示したタイムチャートである。
第７図は、背面キーの照明色が７色で連続的に変化する場合の制御方法を示したタイムチャートである。
第８図は、背面キーがある照明パターンを繰り返す場合の制御方法を示したタイムチャートである。
第９図は、背面キーの照明色設定画面の例である。
第１０図は、背面キーの押下により実行される様々な機能の一例を表にしたものである。
第１１図は、従来の技術に基づく携帯電話機のハードウェア構成の一例を簡略的に示したブロック図である。
第１２図は、従来のサブＬＣＤと背面キーの照明制御を示した回路図である。
【図１】
0004615216.tif 000002
【図２】
0004615216.tif 000003
【図３】
0004615216.tif 000004
【図４】
0004615216.tif 000005
【図５】
0004615216.tif 000006
【図６】
0004615216.tif 000007
【図７】
0004615216.tif 000008
【図８】
0004615216.tif 000009
【図９】
0004615216.tif 000010
【図１０】
0004615216.tif 000011
【図１１】
0004615216.tif 000012
【図１２】
0004615216.tif 000013